(57)【要約】【課題】画像形成装置が備える２つの給紙台のうち、どちらか一方を利用するかを選択することにより、安定的に且つ大量に多種の原稿に対してのスキャン動作を行うことが可能な画像形成装置を提供する。【解決手段】給紙台１（２０１）にセットされている原稿は、レジストローラ１（２１１）によって一枚が、ＤＦカバー内に引き込まれる。引き込まれた原稿は読み取りローラ（２０６）によりＤＦ読み取り用コンタクトガラス（２１２）の上を通り、読み取り装置（２０９）によって読み取られ、そのデータは保存される。紙はそのまま進み、排紙ローラ１（２０４）と排紙ローラ２（２０５）により、排紙台（２０２）に移動する。このような過程で読み取り動作がおこなわれる。【選択図】      図１０
2004236223.tif 000002
【特許請求の範囲】
【請求項１】
原稿読み取り面を上側に向けて載置する第１の給紙台と、原稿読み取り面を下側に向けて載置する第２の給紙台と、前記第１及び第２の給紙台から夫々給紙された原稿をコンタクトガラス面に押圧しつつ搬送する読み取りローラと、該読み取りローラにより押圧された原稿面の画像を読み取る読取装置と、該読取装置により読み取られて排紙された原稿を受ける排紙台と、を備えた画像形成装置であって、
前記第１の給紙台は、前記排紙台と高さ方向位置を変えて備えられ、且つ前記読み取りローラに対して前記第２の給紙台と対向する位置に配置され、前記第１の給紙台に載置された原稿は前記読み取りローラにより反転されて前記排紙台に排紙され、前記第２の給紙台に載置された原稿は前記読み取りローラにより反転されずに前記排紙台に排紙されることを特徴とする画像形成装置。
【請求項２】
前記画像形成装置にネットワークを介して動作指示を与えることが可能なＰＣが接続されたネットワーク環境においては、前記ＰＣが前記ネットワークを介して前記第１及び第２の給紙台に夫々載置された原稿を所定の周期で交互に給紙することを特徴とする請求項１に記載の画像形成装置。
【請求項３】
前記第１及び第２の給紙台を選択する給紙台選択手段を更に備え、該給紙台選択手段により選択された給紙台に載置された原稿を優先的に給紙することを特徴とする請求項１に記載の画像形成装置。
【請求項４】
前記排紙台には前記第１及び第２の給紙台から給紙された原稿が、表裏同じ方向に排紙されることを特徴とする請求項１乃至３の何れか一項に記載の画像形成装置。
【発明の詳細な説明】
【０００１】
【発明の属する技術分野】
本発明は、画像形成装置に関し、さらに詳しくは、２つの給紙台に載置された原稿の給紙方法に関するものである。
【０００２】
【従来の技術】
近年、オフィスでの取り扱い文書は増加の一途を辿っており、それらの文書管理を効率的に行うために文書の読み取りを更に高速に行うことが切望されている。しかし、イメージスキャナにより実際に原稿を読み取る場合、原稿の大きさ、原稿の厚さの違い、または分類された原稿などを同時に読み取ることは困難である。上記の様にさまざまな種類の原稿を効率的に読み取りできない原因は、そのような読み取り機能をもっている画像形成装置や、クライアントＰＣがないためである。最近では、１台の画像形成装置に接続して、更に短時間に大量のスキャンをしたいというユーザからの要求がある。
そこで特開平６−２７６３５０号公報には、簡単かつ誤動作なく、原稿の複写と原稿のファクシミリ送信とを選択的におこなう技術について開示されている。それによると、自動原稿給送装置は、複写用原稿給紙台と、この複写用原稿給紙台とは別個に設けられたファクシミリ用原稿給紙台とを備え、複写用原稿給紙台上の原稿を最終枚目から、ファクシミリ用原稿給紙台の原稿を一枚目から給紙台に送る。エンプティセンサは原稿がいずれの載置台上にあるかを検知し、エンプティセンサの検知信号に基づいて、選択的に複写モード又はファクシミリ送信モードとするとしている。
【特許文献１】特開平６−２７６３５０号公報
【０００３】
【発明が解決しようとする課題】
特許文献１はコピーとファクシミリの原稿を別々の給紙台に載置し、夫々の給紙台に設けられたセンサにより原稿の有無を検知して、原稿が存在する方の動作を自動的に行うというものである。この発明の主たる目的は、コピーとファクシミリでは給紙時に原稿をセットする頁順番が逆であるため、それを１つの給紙台で行うと原稿の載置の方向を間違える虞があり、そのようなミスを防止することにある。従って、本発明のように異なる種類または同じ種類の原稿を２つの給紙台に載置して、任意に給紙台を選択できる方法とは根本的に異なるものであり、複数の人がスキャンやコピー動作を１台の画像形成装置で行いたいという要望に応えることができない。
本発明は、かかる課題に鑑み、画像形成装置が備える２つの給紙台のうち、どちらか一方を利用するかを選択することにより、安定的に且つ大量に多種の原稿に対してのスキャン動作を行うことが可能な画像形成装置を提供することを目的とする。
また他の目的は、画像形成装置が備える２つの給紙台のうち、どちらを利用するかを画像形成装置の表示画面或いはＰＣの選択画面により選択することにより、希望する原稿の編集を簡単に行うことである。
【０００４】
【課題を解決するための手段】
本発明はかかる課題を解決するために、請求項１は、原稿読み取り面を上側に向けて載置する第１の給紙台と、原稿読み取り面を下側に向けて載置する第２の給紙台と、前記第１及び第２の給紙台から夫々給紙された原稿をコンタクトガラス面に押圧しつつ搬送する読み取りローラと、該読み取りローラにより押圧された原稿面の画像を読み取る読取装置と、該読取装置により読み取られて排紙された原稿を受ける排紙台と、を備えた画像形成装置であって、前記第１の給紙台は、前記排紙台と高さ方向の位置を変えて備えられ、且つ前記読み取りローラに対して前記第２の給紙台と対向する位置に配置され、前記第１の給紙台に載置された原稿は前記読み取りローラにより反転されて前記排紙台に排紙され、前記第２の給紙台に載置された原稿は前記読み取りローラにより反転されずに前記排紙台に排紙されることを特徴とする。
本発明の画像形成装置のスキャナ部は、読み取りローラに対して左右に配置された２つの給紙台を備え、一方の給紙台の下側には排紙台が備えられ、更に一方の給紙台に載置された原稿は、読み取りローラにより反転されて排紙され、他方の給紙台に載置された原稿は反転されずに排紙される。従って読み取りローラに対して対称的に配置されていればどちらに配置しても構わない。この構成により、両方の給紙台に同じ種類の多数ページの原稿を連続して載置し、一方の原稿のコピーが終了したら他方の給紙台の原稿をコピーすることにより、一括して多量のページ数のコピーを一度に完了することができる。また、２つの給紙台に内容の異なる原稿を載置してコピーする場合は、どちらか一方が終了した場合、他方の原稿をコピーすることもできる。
かかる発明によれば、２つの給紙台を備えて同じ読み取り装置により読み取る構成なので、大量の原稿を一括してコピーが可能であり、また２種類の原稿を個別にコピーすることもできるので、画像形成装置のハンドリングタイムを短縮することができる。
【０００５】
請求項２は、前記画像形成装置にネットワークを介して動作指示を与えることが可能なＰＣが接続されたネットワーク環境においては、前記ＰＣが前記ネットワークを介して前記第１及び第２の給紙台に夫々載置された原稿を所定の周期で交互に給紙することを特徴とする。
近年、ネットワークの発達により１台の画像形成装置をネットワークに接続してシェアーする方法が一般化している。その場合、ネットワーク上のＰＣから２つの給紙台を任意に選択することが可能である。そこで本発明では、例えば１枚おきに給紙台を切替えたり、一方の給紙台を３枚給紙してから他方の給紙台を１枚給紙するといったことをプログラムしておくことにより、自由に操作することができる。
かかる発明によれば、ネットワーク上に接続されたＰＣにより任意に２つの給紙台を選択できるので、予めプログラムしておくことにより、希望する原稿の編集が可能となる。
【０００６】
請求項３は、前記第１及び第２の給紙台を選択する給紙台選択手段を更に備え、該給紙台選択手段により選択された給紙台に載置された原稿を優先的に給紙することを特徴とする。
また、画像形成装置上には操作部があり、その操作部に第１及び第２の給紙台を選択する画面を表示し、その画面から給紙台を適宜選択することもできる。
かかる発明によれば、画像形成装置上の操作部により給紙台を選択できるので、使用したい給紙台を任意に選択でき、画像形成装置の利用範囲を広げることができる。
請求項４は、前記排紙台には前記第１及び第２の給紙台から給紙された原稿が、表裏同じ方向に排紙されることを特徴とする。
本発明の画像形成装置は一方の給紙台の原稿は読み取りローラにより反転され、他方の給紙台の原稿は反転されずに排紙される。そして、夫々の給紙台に原稿を載置する場合は表裏逆にするので、結果的に排紙台には原稿の表裏が揃って排紙されることになる。
かかる発明によれば、２つの給紙台から排紙された原稿の向きが揃って排紙されるので、連続した多量の原稿を一括してコピーしても元の順番で原稿が排出され、利用者の利便性を高くすることができる。
【０００７】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の画像形成装置の構成図である。この画像形成装置の概略動作は、自動原稿送り装置（以下、ＡＤＦと記す）１にある給紙台２に、原稿の画像面を上にして置かれた原稿束は、操作部３０上のスタートキー３４が押下されると、一番下の原稿から給送ローラ３、給送ベルト４によってコンタクトガラス６上の所定の位置に給送される。一枚の原稿の給送を完了した時点で原稿枚数をカウントアップするカウント機能を有している。給送された原稿は読み取りユニット５０によってコンタクトガラス６上の原稿の画像データを読取られた後、読み取りが終了した原稿は、給送ベルト４及び排送ローラ５によって排出される。さらに、原稿セット検知７にて給紙台２に次の原稿が有ることを検知した場合、前原稿と同様にコンタクトガラス６上に給送される。給送ローラ３、給送ベルト４、排送ローラ５は搬送モータ２６によって駆動される。
また第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。また読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって排紙トレイ１９に排出される。
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。そして両面搬送ユニットに送られた用紙は再度縦搬送ユニット１４に送られて裏面に画像を印刷された後に排紙される。また、転写紙を反転して排出する場合は上記で反転ユニット１１２でスイッチバック反転した用紙を両面ユニットに送らずに反転排紙搬送路１１４に送り出して排紙する。尚、感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【０００８】
図２は図１の操作部３０の詳細を示した図である。操作部３０には、液晶タッチパネル３１、テンキー３２、クリア／ストップキー３３、プリントキー３４、モードクリアキー３５があり、液晶タッチパネル３１には、機能キー３７、部数、及び画像形成装置の状態を示すメッセージなどが表示される。
図３は図２の操作部３０の液晶タッチパネル３１の表示の一例を示した図である。オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネル３１は、ドット表示器を使用している為、その時の最適な表示をグラフィカルに行う事が可能である。
図４は本発明の画像形成装置のメインコントローラを中心に、制御装置を図示したものである。同じ構成要素には同じ参照番号が付されているので、重複する説明は省略する。メインコントローラ２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。また、メインコントローラ２０には複数の画像形成装置に接続して装置の構成および機能情報、動作制御に関する情報の送受信を行うための連結Ｉ／Ｆ４８が接続されている。メインコントローラ２０は連結Ｉ／Ｆ４８を介して接続された画像形成装置の情報を獲得し、動作を設定することにより連結動作の制御を行うか、もしくは接続された他の画像形成装置からの要求を獲得し自機の動作の制御を行う。各分散制御装置とメインコントローラ２０は必要に応じて機械の状態、動作司令のやりとりを行っている。また紙搬送等に必要なメインモータ２５、各種クラッチ２１〜２４も接続されている。
図７は、接続された画像形成装置と情報の送受信を行うか、否かを設定するための表示部の例を示す図である。図７に記載されている「連結」キー３６をタッチすることにより、接続されている複数の画像形成装置を用いた連結動作の設定が選択され自機が連結動作のマスター機として、以下の設定により接続された自機以外の画像形成装置（スレーブ機）に対して動作の要求を行う。
【０００９】
次に図１に戻り、画像形成装置の原稿読み取りから、画像の書き込みまでを説明する。読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第１キャリッジ上に固定されている。原稿像を読み取るときには、光路長が変わらないように、第１キャリッジ第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。
また書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００１０】
図５は本発明の画像処理ユニット（ＩＰＵ）４９内部構成を示すブロック図である。同じ構成要素には同じ参照番号が付されているので、重複する説明は省略する。露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。変倍部７２を経由した画像信号は変倍率に合せて拡大縮小され、セレクタ６４に流れる。セレクタ６４では、画像信号の送り先を、書き込みγ補正ユニット７１または、画像メモリコントローラ６５への切り替えが行われる。書き込みγ補正ユニット７１を経由した画像信号は作像条件に合わせて書き込みγが補正され、書き込みユニット５７に送られる。画像メモリコントローラ６５とセレクタ６４間は、双方向に画像信号を入出力可能な構成となっている。また、画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
また連結Ｉ／Ｆ４８は画像情報の送受信のため、メモリコントローラのデータバスに接続され、データの入出力が可能な構成になっている。画像形成装置間のデータ転送速度に応じて、画像情報は画像メモリ６６を介して転送される。すなわち、画像出力時にはメモリコントローラ６５から画素メモリ６６に画像データを格納した後、画像形成装置間のデータ転送速度に応じて順次画像メモリ６６からデータを読み出して、連結Ｉ／Ｆにデータを転送する。画像出力時には連結Ｉ／Ｆより転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００１１】
また原稿画像で画像メモリコントローラ６５へ送られた画像は、画像メモリコントローラ内にある画像圧縮装置によって画像データを圧縮した後、画像メモリ６６に送られる。ここで画像圧縮する理由は、最大画像サイズ分の２５６階調のデータをそのまま画像メモリ６６に書き込む事も可能であるが、１枚の原稿画像で画像メモリを大変多く使用する。画像圧縮を行う事で、画像限られた画像メモリを有効に利用できる。また、一度に多くの原稿画像データを記憶することが出来るため、ソート機能として、貯えられた原稿画像イメージデータをページ順に出力する事ができる。この場合画像を出力する際に画像メモリ６６のデータをメモリコントローラ６５内の伸長装置で順次伸長しながら出力を行う。このような機能は一般に「電子ソート」と呼ばれている。また画像メモリの機能を利用して、複数枚の原稿画像を、画像メモリの転写紙一枚分のエリアを分割したエリアに順次読み込む事も可能となる。例えば４枚の原稿画像を、画像メモリの転写紙一枚分の４等分されたエリアに順次書き込む事で、４枚の原稿が一枚の転写紙イメージに合成され集約されたコピー出力を得ることが可能となる。このような機能は一般に「集約コピー」と呼ばれている。
また画像メモリ６６の画像はＣＰＵ６８からアクセス可能な構成となっている。このため画像メモリの内容を加工することが可能であり、例えば画像の間引き処理、画像の切り出し処理等が行える。加工には、メモリコントローラ６５のレジスタにデータを書き込む事で画像メモリの処理を行う事ができる。加工された画像は再度画像メモリに保持される。また、画像メモリ６６の内容をＣＰＵ６８が読みだし、Ｉ／Ｏポート６７を経て、画像データ７３として操作部３０に転送することが可能な構成となっている。一般に、操作部３０の画面表示解像度は低い為、画像メモリ６６の原画像は画像間引きが行われ操作部３０に送られる。
画像メモリ６６は、多くの画像データを収納するためハードディスクが用いられる事もある。ハードディスクを用いる事により、外部電源が不用で永久的に画像を保持できる特徴もある。そして複数の定型の原稿（フォーマット原稿）をスキャナで読み込み保持するためには、このハードディスクが用いられのが一般的である。
【００１２】
図６は、セレクタ６４における１ページ分の画像信号について説明するタイミングチャートである。／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。また本実施例では、画像データは２５５に近いほど白画像になるとする。
図８は本発明の画像形成装置のメイン動作フローチャートである。まず電源を投入すると、まず初期化処理が行われる（ステップ０１）。初期化の主な内容は、各種フラグのリセット、各種カウンターのクリア、画像メモリのクリア、画像形成モード（変倍、分割など）のリセット等を行う。（初期化のフローは図示せず。）初期化終了後、キー入力又は、画像形成制エンジンからのイベント（何等かの変化要因）の発生待ちとなる（ステップ０２）。ユーザが何等かのキー操作を行うと、操作部３０よりキー入力イベントとして通知される。同様に、何等かの画像形成制エンジンの変化、例えばＡＤＦ１に原稿をセットすると原稿セット検知７の信号の変化がエンジン・イベントとして通知される。キーまたはエンジンの、何れかのイベントが発生すると、ステップ０３に進む。ステップ０３では、発生したイベントがキー入力なのか、エンジンなのかを判定する。エンジンの場合は、エンジン・イベント処理（ステップ０４）、キー入力の場合は、キー入力イベント処理（ステップ０５）が呼び出され、再びステップ０２のイベント待ちとなる。
【００１３】
図９は図８のキー入力イベント処理（ステップ０５）を詳しく示したフローチャートである。ステップ１１では、プリントスタートキーのキー押下イベントをチェックする。プリントスタートキーであればステップ１８のコピー処理を実行する。ステップ１２ではテンキーのキー入力があったか否かをチェックしている。キーイベントがテンキーであればステップ１９のテンキー処理を行う。ステップ１３ではクリアストップキーの押下イベントをチェックしている。クリアストップキーのイベントであればステップ２０のクリアストップ処理を実行する。ステップ１４では印字設定キーの押下イベントをチェックしている。各種印字機能の設定キーが押下されるとステップ２１に飛び印字設定処理が実行される。ステップ１５では、両面設定キーイベントの判断を行っている。両面機能が選択あるいは選択状態から解除された時に、ステップ２２に飛び両面設定処理が実行される。ステップ１６では、フォーマット原稿設定キーイベントの判断を行っている。フォーマット原稿機能が選択あるいは選択状態から解除された時に、ステップ２３に飛びフォーマット原稿設定処理が実行される。ステップ１７は、ステップ１１〜１６まで以外のキーイベントがあったか否かを判断している。キーイベントがあった場合にはステップ２４のその他のキー処理を実行する。各々のキーイベント処理を実行したならばステップ２５に戻り処理を終了する。
図１０は本発明の一実施形態の自動送り原稿装置の断面構成図である。この図はシートスルー読み取り可能なＡＤＦ（自動送り原稿装置）を表し、読み取り面を上側にした原稿を載置する給紙台１（２０１）と、読み取られて排紙された原稿を受ける排紙台（２０２）と、圧板読み取り用コンタクトガラス台（２０３）と、読み取られた原稿を排紙台（２０２）に搬送する排紙ローラ１（２０４）、排紙ローラ２（２０５）と、原稿をＤＦ読み取り用コンタクトガラス（２１２）に押圧しつつ搬送する読み取りローラ（２０６）と、ＤＦ部を覆うＤＦカバー（２０７）と、読み取り面を下側にした原稿を載置する給紙台２（２０８）と、読み取りローラ（２０６）により押圧された原稿面の画像を読み取る原稿の読み取り装置（２０９）と、給紙台２（２０８）の原稿の給紙タイミングにより原稿先端を引き込むレジストローラ２（２１０）と、給紙台１（２０１）の原稿の給紙タイミングにより原稿先端を引き込むレジストローラ１（２１１）と、読み取りローラ（２０６）により押圧された原稿を支えるＤＦ読み取り用コンタクトガラス（２１２）を備えて構成される。
【００１４】
次にシートスルー読み取り動作の説明をする。給紙台１（２０１）に置かれた原稿をシートスルー読み取りによって、読み取りを行う場合について説明する。給紙台１（２０１）にセットされている原稿は、レジストローラ１（２１１）によって一枚が、ＤＦカバー内に引き込まれる。引き込まれた原稿は読み取りローラ（２０６）によりＤＦ読み取り用コンタクトガラス（２１２）の上を通り、読み取り装置（２０９）によって読み取られ、そのデータは保存される。紙はそのまま進み、排紙ローラ１（２０４）と排紙ローラ２（２０５）により、排紙台（２０２）に移動する。このような過程で読み取り動作がおこなわれる。
次に給紙台２（２０８）に置かれた原稿をシートスルー読み取りによって、読み取りを行う場合について説明する。給紙台２（２０８）にセットされている原稿は、レジストローラ２（２１０）によって一枚が、ＤＦカバー内に引き込まれる。引き込まれた原稿は読み取りローラ（２０６）によりＤＦ読み取り用コンタクトガラス（２１２）の上を通り、読み取り装置（２０９）によって読み取られ、そのデータは保存される。紙はそのまま進み、排紙ローラ１（２０４）と排紙ローラ２（２０５）により、排紙台（２０２）に移動する。このような過程で読み取り動作がおこなわれる。
図１０のような画像形成装置では、給紙台１（２０１）、給紙台２（２０８）、読み取り装置（２０９）、排紙台（２０２）を所定の位置関係にて配置しており、給紙台１（２０１）、給紙台２（２０８）に、原稿がそれぞれ１枚セットされているものとする。それぞれの給紙台にセットされた紙は、矢印で示してある方向に搬送されることにより、読み取り動作が実現されている。これにより、原稿の種類の混載をユーザのニーズにあった形での読み取りを実現することができる。例えば、▲１▼給紙台１と給紙台２におかれた原稿が、それぞれ、種類の違う別々の原稿である場合、その原稿を交互に読み取ったり、給紙台１（２０１）の原稿を二回読み、給紙台２（２０８）の原稿を一回読みという周期で読み取りをおこなうことも可能である。▲２▼給紙台１には、普通の厚さの原稿、給紙台２には厚い原稿または、折れ曲がると困る原稿をおいた場合、これらの原稿を、▲１▼のようなパターンで読み取りを実現することが可能となる。
【００１５】
次に、本発明の実施形態を更に図１１を使って説明する。図１１は、他の実施形態による内容の画像形成装置の表示機能を使い、給紙台１か給紙台２のどちらを使うかを選択する選択画面を表示させたものを表している。この手段により、給紙台の選択を可能にし、図１０の説明の▲１▼給紙台１（２０１）に置かれた原稿をシートスルー読み取りによって、読み取りを行う場合と、▲２▼給紙台２（２０８）に置かれた原稿をシートスルー読み取りによって、読み取りを行う場合の流れを実現可能とする。
図１２は本発明の他の実施形態を説明する図である。図１２は、他の実施形態による内容のＰＣの表示機能を使い、給紙台の１か２の、どちらを使うかを選択する選択画面を表示させたものをあらわしている。この手段により、給紙台の選択を可能にし、図１０の説明の▲１▼給紙台１（２０１）に置かれた原稿をシートスルー読み取りによって、読み取りを行う場合と、▲２▼給紙台２（２０８）に置かれた原稿をシートスルー読み取りによって、読み取りを行う場合の流れを実現可能とする。
【００１６】
【発明の効果】
以上記載のごとく請求項１の発明によれば、２つの給紙台を備えて同じ読み取り装置により読み取る構成なので、大量の原稿を一括してコピーが可能であり、また２種類の原稿を個別にコピーすることもできるので、画像形成装置のハンドリングタイムを短縮することができる。
また請求項２では、ネットワーク上に接続されたＰＣにより任意に２つの給紙台を選択できるので、予めプログラムしておくことにより、希望する原稿の編集が可能となる。
また請求項３では、画像形成装置上の操作部により給紙台を選択できるので、使用したい給紙台を任意に選択でき、画像形成装置の利用範囲を広げることができる。
また請求項４では、２つの給紙台から排紙された原稿の向きが揃って排紙されるので、連続した多量の原稿を一括してコピーしても元の順番で原稿が排出され、利用者の利便性を高くすることができる。
【図面の簡単な説明】
【図１】本発明の画像形成装置の構成図である。
【図２】本発明の図１の操作部３０の詳細を示した図である。
【図３】本発明の図２の操作部３０の液晶タッチパネル３１の表示の一例を示した図である。
【図４】本発明の画像形成装置のメインコントローラを中心にした制御装置の図である。
【図５】本発明の画像処理ユニット（ＩＰＵ）４９内部構成を示すブロック図である。
【図６】本発明のセレクタ６４における１ページ分の画像信号について説明するタイミングチャートである。
【図７】本発明の接続された画像形成装置と情報の送受信を行うか、否かを設定するための表示部の例を示す図である。
【図８】本発明の画像形成装置のメイン動作フローチャートである。
【図９】本発明の図８のキー入力イベント処理（ステップ０５）を詳しく示したフローチャートである。
【図１０】本発明の一実施形態の自動送り原稿装置の断面構成図である。
【図１１】本発明の他の実施形態による内容の画像形成装置の表示機能を使い、給紙台の１か２のどちらを使うかを選択する選択画面を表示させた図である。
【図１２】本発明の他の実施形態部分を説明する図である。
【符号の説明】
２０１  給紙台１、２０２  排紙台、２０４  排紙ローラ１、２０５  排紙ローラ２、２０６  読み取りローラ、２０９  読み取り装置、２１１  レジストローラ１
【図１】
2004236223.tif 000003
【図２】
2004236223.tif 000004
【図３】
2004236223.tif 000005
【図４】
2004236223.tif 000006
【図５】
2004236223.tif 000007
【図６】
2004236223.tif 000008
【図７】
2004236223.tif 000009
【図８】
2004236223.tif 000010
【図９】
2004236223.tif 000011
【図１０】
2004236223.tif 000012
【図１１】
2004236223.tif 000013
【図１２】
2004236223.tif 000014